(57)【特許請求の範囲】
【請求項１】
ワイヤーハーネスを固定用孔部が形成された固定相手部に対して固定するハーネスクランプであって、
前記固定用孔部の開口縁部に対して前記固定用孔部の貫通方向に沿った装着方向後方から対向する押え部を有する本体部と、
前記押え部の前記装着方向後方で前記ワイヤーハーネスに巻き掛け可能で、少なくとも一方の端部が前記押え部に対して自由端とされ、自由端とされた少なくとも一方の端部に前記固定用孔部の開口縁部に対して前記装着方向前方から係止可能な係止部を有しているベルト部と、
を備え、
前記押え部は、前記装着方向に沿って貫通し、前記ベルト部の自由端とされた少なくとも一方の端部を挿通可能なベルト挿通孔部を少なくとも１つ有し、
前記ベルト部は、前記ベルト挿通孔部に挿通された状態で、前記係止部が前記固定用孔部の開口縁部に係止していない非係止形態から、前記係止部が前記固定用孔部の開口縁部に係止した係止形態に縮径変形可能であり、
前記ベルト部は、前記ワイヤーハーネスの外部形状に沿った形状に形成され前記ワイヤーハーネスに巻き掛けられる巻掛部を含み、
前記非係止形態では、前記係止部が前記ベルト挿通孔部の開口縁部に係止した状態で、前記巻掛部と前記ワイヤーハーネスの外周面との間に前記ベルト部が前記ワイヤーハーネスの延在方向に沿って移動することを可能にする隙間が形成されており、
前記係止形態では、前記ベルト部の位置が前記ワイヤーハーネスの延在方向において固定されるように前記巻掛部が前記ワイヤーハーネスの外周面に接する、ハーネスクランプ。
【請求項２】
請求項１に記載のハーネスクランプであって、
前記ベルト部は、両端部にそれぞれ係止部を有し、前記本体部とは別体に形成されている、ハーネスクランプ。
【請求項３】
請求項２に記載のハーネスクランプであって、
前記ベルト部は、前記巻掛部と、前記巻掛部の両端部から並列状に間隔をあけて延出する一対の直線部とを有する形状に形成され、
前記係止部は、前記一対の直線部の各先端部に形成されている、ハーネスクランプ。
【請求項４】
請求項３に記載のハーネスクランプであって、
前記一対の直線部の外面同士の間隔は、前記固定用孔部の開口縁部のうちの対向部分の間隔より大きく設定されている、ハーネスクランプ。
【請求項５】
請求項１〜請求項４のいずれか一項に記載のハーネスクランプであって、
前記本体部は、前記押え部から前記装着方向前方に突出し、前記固定用孔部に挿入される挿入部をさらに有している、ハーネスクランプ。
【発明の詳細な説明】
【技術分野】
【０００１】
本発明は、固定相手部に対してワイヤーハーネスを固定する技術に関する。
【背景技術】
【０００２】
自動車等に配索されるワイヤーハーネスは、所定の配索経路に敷設され、車体を構成する金属パネル等の所定の固定相手部に対して、電線の延在方向に沿って部分的に固定される。
【０００３】
特許文献１には、被結束物に巻き掛けられる帯状のベルト部と、ベルト部を先端部位から挿通して引き締めることでベルト部と係合し所望の引締状態として保持する保持部位を備えたバックル部とを有するベルトクランプが開示されている。また、バックル部は、車体パネルの所定箇所に形成された取付穴に抜け止め可能に保持された状態で差し込まれる取付部位を有している。そして、被結束物の外周に巻き掛けたベルト部を引き締めた状態で、取付部位を取付穴に差し込むことにより、被結束物を車体パネルに固定した状態に保持する。
【先行技術文献】
【特許文献】
【０００４】
【特許文献１】特開２００７−２８２３５２号公報
【発明の概要】
【発明が解決しようとする課題】
【０００５】
ところで、ワイヤーハーネスによっては、延在方向における複数箇所が金属パネルの所定の固定相手部に対して固定されることもある。すなわち、ワイヤーハーネスの延在方向における複数箇所にハーネスクランプが取り付けられ、各ハーネスクランプが各固定相手部に固定される。
【０００６】
一般的に、ハーネスクランプは、作業者によりワイヤーハーネスに対して手作業で取り付けられる。このため、ワイヤーハーネスに対するハーネスクランプの取り付け位置には、取り付け誤差が生じることもある。
【０００７】
しかしながら、特許文献１の技術によると、ワイヤーハーネスのうちの延在方向複数箇所にそれぞれハーネスクランプ（ベルトクランプ）が取り付けられた状態では、ワイヤーハーネスに対して延在方向にハーネスクランプをずらすことは困難である。このため、１つのハーネスクランプを所定の固定相手部に固定すると、他のハーネスクランプが上記取り付け誤差により対応する固定相手部に固定できない恐れがある。すなわち、複数の固定相手部同士の間隔に対するハーネスクランプ同士の間隔が相対的にずれてしまう恐れがある。特に、配索経路に沿った形態に維持されたワイヤーハーネスにおいては、撓ませて余長を吸収させることが困難であるため、その影響は顕著である。
【０００８】
そこで、本発明は、ワイヤーハーネスに対して取り付けられた状態で延在方向の位置調節を可能にすると共に、固定相手部に対して固定された状態でワイヤーハーネスを位置決めすることを目的とする。
【課題を解決するための手段】
【０００９】
第１の態様は、ワイヤーハーネスを固定用孔部が形成された固定相手部に対して固定するハーネスクランプであって、前記固定用孔部の開口縁部に対して前記固定用孔部の貫通方向に沿った装着方向後方から対向する押え部を有する本体部と、前記押え部の前記装着方向後方で前記ワイヤーハーネスに巻き掛け可能で、少なくとも一方の端部が前記押え部に対して自由端とされ、自由端とされた少なくとも一方の端部に前記固定用孔部の開口縁部に対して前記装着方向前方から係止可能な係止部を有しているベルト部とを備え、前記押え部は、前記装着方向に沿って貫通し、前記ベルト部の自由端とされた少なくとも一方の端部を挿通可能なベルト挿通孔部を少なくとも１つ有し、前記ベルト部は、前記ベルト挿通孔部に挿通された状態で、前記係止部が前記固定用孔部の開口縁部に係止していない非係止形態から、前記係止部が前記固定用孔部の開口縁部に係止した係止形態に縮径変形可能であり、前記ベルト部は、前記ワイヤーハーネスの外部形状に沿った形状に形成され前記ワイヤーハーネスに巻き掛けられる巻掛部を含み、前記非係止形態では、前記係止部が前記ベルト挿通孔部の開口縁部に係止した状態で、前記巻掛部と前記ワイヤーハーネスの外周面との間に前記ベルト部が前記ワイヤーハーネスの延在方向に沿って移動することを可能にする隙間が形成されており、前記係止形態では、前記ベルト部の位置が前記ワイヤーハーネスの延在方向において固定されるように前記巻掛部が前記ワイヤーハーネスの外周面に接する。
【００１０】
第２の態様は、第１の態様に係るハーネスクランプであって、前記ベルト部は、両端部にそれぞれ係止部を有し、前記本体部とは別体に形成されている。
【００１１】
第３の態様は、第２の態様に係るハーネスクランプであって、前記ベルト部は、前記巻掛部と、前記巻掛部の両端部から並列状に間隔をあけて延出する一対の直線部とを有する形状に形成され、前記係止部は、前記一対の直線部の各先端部に形成されている。
【００１２】
第４の態様は、第３の態様に係るハーネスクランプであって、前記一対の直線部の外面同士の間隔は、前記固定用孔部の開口縁部のうちの対向部分の間隔より大きく設定されている。
【００１３】
第５の態様は、第１〜第４のいずれか一態様に係るハーネスクランプであって、前記本体部は、前記押え部から前記装着方向前方に突出し、前記固定用孔部に挿入される挿入部をさらに有している。
【発明の効果】
【００１４】
第１の態様に係るハーネスクランプによると、押え部は、装着方向に沿って貫通し、ベルト部の自由端とされた少なくとも一方の端部を挿通可能なベルト挿通孔部を少なくとも１つ有し、ベルト部は、ベルト挿通孔部に挿通された状態で、係止部が固定用孔部の開口縁部に係止していない非係止状態から、係止部が固定用孔部の開口縁部に係止した係止状態に縮径変形可能である。このため、ベルト部をワイヤーハーネスに巻き掛けると共にベルト挿通孔部に挿通した状態のうち、係止部が固定用孔部の開口縁部に係止していない非係止状態では、ワイヤーハーネスに対して延在方向に移動可能である。また、非係止状態から、係止部が固定用孔部の開口縁部に係止した係止状態に縮径変形することにより、ワイヤーハーネスを位置決めして固定相手部に固定することができる。これにより、ワイヤーハーネスに対して取り付けられた状態で延在方向の位置調節を可能にすると共に、固定相手部に対して固定された状態でワイヤーハーネスを位置決めすることができる。
【００１５】
第２の態様に係るハーネスクランプによると、ベルト部が、両端部にそれぞれ係止部を有し、本体部とは別体に形成されているため、構造が簡単であり、成型用金型を簡単な構造にすることができる。そして、本体部を汎用品として、固定対象となるワイヤーハーネスのサイズに応じてベルト部を用意することにより、複数サイズのワイヤーハーネスに適用することができる。
【００１６】
第３の態様に係るハーネスクランプによると、ベルト部が、ワイヤーハーネスに巻き掛けられる巻掛部と、巻掛部の両端部から並列状に間隔をあけて延出する一対の直線部とを有する形状に形成されている。そして、巻掛部が、ワイヤーハーネスの外部形状に沿った形状に形成されているため、ワイヤーハーネスの位置決め精度を向上させることが可能であると共に、ベルト部をワイヤーハーネスに巻き掛ける作業の作業性を向上させることができる。
【００１７】
第４の態様に係るハーネスクランプによると、一対の直線部の外面同士の間隔が、固定用孔部の開口縁部のうちの対向部分の間隔より大きく設定されているため、係止部を固定用孔部の開口縁部に対してより確実に係止させることができる。
【００１８】
第５の態様に係るハーネスクランプによると、本体部が、押え部から装着方向前方に突出して固定用孔部に挿入される挿入部を有しているため、ベルト部が前記非係止形態にある状態で挿入部が固定用孔部に挿入されることにより、固定相手部に対する予備的な位置決めをすることができる。
【図面の簡単な説明】
【００１９】
【図１】本体部とベルト部が分離されたハーネスクランプを示す正面図である。
【図２】本体部の底面図である。
【図３】本体部とベルト部が組み合わされたハーネスクランプを示す正面図である。
【図４】固定相手部に固定されたハーネスクランプを示す正面図である。
【図５】ハーネスクランプの取り付け作業を示す図である。
【図６】ハーネスクランプと別のクランプ部材との関係を示す図である。
【図７】複数のハーネスクランプを用いた例を示す図である。
【発明を実施するための形態】
【００２０】
以下、実施形態に係るハーネスクランプ１０について説明する（図４参照）。ハーネスクランプ１０は、ワイヤーハーネス１を固定用孔部９２が形成された固定相手部９０に対して固定するための部材である。
【００２１】
＜ワイヤーハーネス及び固定相手部について＞
説明の便宜上、ハーネスクランプ１０の適用対象であるワイヤーハーネス１及び固定相手部９０について説明しておく。
【００２２】
ワイヤーハーネス１は、車両又は電気機器等（ここでは車両の例で説明する）に配索されるワイヤーハーネスであり、少なくとも１本の電線を有する線材である。ここで対象とするワイヤーハーネス１には、１本の電線で構成されたもの、複数本の電線がテープ巻き等により結束されたもの、電線束にコルゲートチューブ等の外装部材が装着されたもの等が含まれる。
【００２３】
このワイヤーハーネス１は、配索経路に沿って車両に配索される。この際、ワイヤーハーネス１は、延在方向において部分的に車両各部（固定相手部９０）に対して固定される。固定相手部９０は、例えば車両の車体を構成する金属パネルの各部であり、厚さ方向に貫通する固定用孔部９２が形成されている。ここでは、固定用孔部９２は、略楕円孔状に形成されているものとする。
【００２４】
＜ハーネスクランプの構造＞
ハーネスクランプ１０は、挿入部２２と押え部３２とを有する本体部２０と、係止部６２を有するベルト部５０とを備えている（図１参照）。ここでは、本体部２０とベルト部５０とは、別体に形成されている。このハーネスクランプ１０は、本体部２０及びベルト部５０を、別々に合成樹脂材料を射出成型等して成形し、組み合わせることにより構成される。
【００２５】
概略的には、ハーネスクランプ１０は、ベルト部５０をワイヤーハーネス１に巻き掛け、押え部３２を固定用孔部９２の開口縁部に対向させる態様で挿入部２２を固定用孔部９２に挿入すると共に、係止部６２を固定用孔部９２の開口縁部に係止させることにより、ワイヤーハーネス１を固定相手部９０に位置決めする。このハーネスクランプ１０は、固定用孔部９２の貫通方向に沿って固定相手部９０に対して装着される。ここでは、固定用孔部９２の貫通方向に沿った一方の向きを装着方向Ｓと称し、この装着方向Ｓを基準としてハーネスクランプ１０の構成を説明していく。
【００２６】
挿入部２２は、固定用孔部９２に対して装着方向Ｓに沿って挿入されて、固定用孔部９２に対する予備的な位置決めをする部分である（図１、図２参照）。この挿入部２２は、柱状（ここでは角柱状）に形成されている。挿入部２２の外周形状は、固定用孔部９２より小さく設定されている。
【００２７】
押え部３２は、固定用孔部９２の開口縁部に対して装着方向Ｓ後方から対向する部分である（図２、図４参照）。この押え部３２は、挿入部２２の装着方向Ｓ後端部から外周側に張り出す形状に形成されている。換言すると、押え部３２から装着方向Ｓ前方に突出する形状に挿入部２２が形成されている。また、押え部３２は、固定用孔部９２より大きく（ここでは、固定用孔部９２を覆うことが可能な程度に大きく）形成されている。ここでは、押え部３２は、固定用孔部９２の形状に対応して、略楕円形状に形成されている。
【００２８】
また、押え部３２は、板状の内周部分３４と、内周部分３４から外周側且つ装着方向Ｓ前方に向けて張り出す外周部分３６とを有する形状に形成されている。外周部分３６は、装着方向Ｓ後方に向けて弾性変形可能な皿バネ状に形成されている。より具体的には、先端部（外周部）ほど薄肉に形成されている。そして、押え部３２は、固定用孔部９２の開口縁部に対して押し付けられた状態で、外周部分３６（特に先端部）が装着方向Ｓ後方に弾性変形し、前記開口縁部を装着方向Ｓ前方に付勢した状態となる。
【００２９】
また、押え部３２は、後述するベルト部５０を挿通可能なベルト挿通孔部３８を有している。ベルト挿通孔部３８は、装着方向Ｓに沿って貫通する孔状に形成されている。ここでは、ベルト挿通孔部３８は、矩形孔状を成している。また、ここでは、ベルト挿通孔部３８は、押え部３２の長軸方向において、内周部分３４のうちの挿入部２２の両側方に形成されている。また、一対のベルト挿通孔部３８は、押え部３２の長軸方向における外周側の内周面が、固定用孔部９２の内周面のうちの長軸方向において対向する部分より大きい間隔となるように形成されているとよい。
【００３０】
ベルト部５０は、挿入部２２及び押え部３２に対してワイヤーハーネス１を位置決めする部分である。ここでは、ベルト部５０は、本体部２０と別体に形成されている。
【００３１】
ベルト部５０は、押え部３２の装着方向Ｓ後方でワイヤーハーネスに巻き掛け可能に形成されている。このベルト部５０は、全体として帯状に形成され、主として厚さ方向に弾性変形可能である。すなわち、ベルト部５０は、ワイヤーハーネス１に巻き掛けられた形態及び巻き掛けられないで拡げられた形態等に変形可能である。
【００３２】
ここでは、ベルト部５０は、巻掛部５２と、巻掛部５２の両端部から延出する一対の直線部５４と、係止部６２とを有する。
【００３３】
巻掛部５２は、ワイヤーハーネス１に巻き掛けられる部分である。この巻掛部５２は、ワイヤーハーネス１の外部形状に沿った形状に形成されている。ここでは、巻掛部５２は、円に沿って湾曲したＣ字形状に形成されている。もっとも、巻掛部５２は、ワイヤーハーネス１の外部形状に沿った形状に形成されていればよく、断面視略矩形状のワイヤーハーネスを適用対象である場合には矩形に沿った形状に形成されていてもよい。
【００３４】
一対の直線部５４は、巻掛部５２の両端部から外周側に向けて並列状に間隔をあけて延出する部分である（図１参照）。そして、一対の直線部５４は、ベルト部５０の端部を成している。この一対の直線部５４は、押え部３２のベルト挿通孔部３８に挿通される部分である。
【００３５】
係止部６２は、固定用孔部９２の開口縁部に対して装着方向Ｓ前方から係止可能に形成された部分である（図１、図４参照）。この係止部６２は、ベルト部５０の両端部、すなわち一対の直線部５４の各先端部に形成されている。この係止部６２は、直線部５４の厚さ方向一方側に突出する形状に形成されている。より具体的には、各係止部６２は、並んだ一対の直線部５４が対向する方向において、互いに離間する向きに突出している。また、係止部６２は、直線部５４の先端部から徐々に突出寸法が大きくなる形状に形成されている。そして、この係止部６２は、直線部５４の基端側（巻掛部５２側）に向かう係止面を有している。
【００３６】
また、係止部６２は、一対の直線部５４の一部がベルト挿通孔部３８に挿通された状態で、固定用孔部９２の開口縁部のうちの中心を挟んだ対向部分（ここでは、長軸に沿った方向において対向する部分）に対して係止可能である。これにより、ハーネスクランプ１０が固定相手部９０に対して挿入部２２の中心軸周りに回転することを抑制できる。
【００３７】
また、一対の直線部５４の外面同士の間隔は、固定用孔部９２の開口縁部のうちの係止部６２の係止対象となる対向部分の間隔より大きく設定されている（図３参照）。また、一対の直線部５４の外面同士の間隔は、一対のベルト挿通孔部３８のうち、押え部３２の長軸方向における外周側の部分同士の間隔と同じかそれより大きく設定されている。すなわち、係止部６２は、ベルト部５０の弾性による元の形状に復帰しようとする力によって、より確実に固定用孔部９２の開口縁部及び各ベルト挿通孔部３８の開口縁部に対して装着方向Ｓ前方から対向する。
【００３８】
そして、ベルト部５０は、両端部がそれぞれベルト挿通孔部３８に挿通された状態で、係止部６２が固定用孔部９２の開口縁部に係止していない非係止形態（図３参照）から、係止部６２が固定用孔部９２の開口縁部に係止した係止形態（図４参照）に縮径変形可能である。これにより、ベルト部５０が巻き掛けられたワイヤーハーネス１を、巻掛部５２内でがたつきを抑制し、挿入部２２及び押え部３２に対して位置決めすることができる。
【００３９】
＜ワイヤーハーネスの固定方法＞
次に、上記ハーネスクランプ１０によるワイヤーハーネス１の固定相手部９０に対する固定方法を説明する。
【００４０】
まず、ベルト部５０をワイヤーハーネス１の外周部に対して巻き掛ける（図１参照）。より具体的には、一対の直線部５４を離間させるようにしてベルト部５０を開き、巻掛部５２の内側にワイヤーハーネス１を配設する。ベルト部５０を開く力を解除すると、ベルト部５０は自身の弾性力によって元の形態に復帰する。すなわち、巻掛部５２は、ワイヤーハーネス１の外周部に沿った形状となる。この際には、ベルト部５０は、本体部２０とは分離された状態である。
【００４１】
この状態で、ベルト部５０を本体部２０に取り付ける（図３参照）。より具体的には、ベルト部５０の両端部を、ベルト挿通孔部３８に対して、装着方向Ｓ前方に向けて挿通する。この際、係止部６２の先端側の傾斜面がベルト挿通孔部３８の内周面に当接し、ベルト部５０は、一対の直線部５４が互いに近接する向きに弾性変形する。そして、係止部６２がベルト挿通孔部３８を越えたところで、ベルト部５０が弾性復帰する力により、各係止部６２が押え部３２の外周側に移動し、その係止面が各ベルト挿通孔部３８の開口縁部に対して装着方向Ｓ前方から対向する。また、ベルト挿通孔部３８の内側には、直線部５４のうちの係止部６２より装着方向Ｓ後方側の部位が配設される。ここで、直線部５４は、ベルト部５０が弾性復帰しようとする力により、ベルト挿通孔部３８の内周面のうち、押え部３２の長軸方向における外周側の部分に押し付けられた状態となっている。これにより、本体部２０とベルト部５０とが組み立てられ、ワイヤーハーネス１に取り付けられたハーネスクランプ１０が得られる。なお、係止部６２の係止面が押え部３２の内周部分３４に当接した状態では、装着方向Ｓにおいて押え部３２と巻掛部５２との間に間隔があけられている。すなわち、押え部３２の装着方向Ｓ後方に一対の直線部５４が部分的に延出している。
【００４２】
この状態では、ベルト部５０がワイヤーハーネス１に対して延在方向にずれることが可能な非係止形態にあり、ハーネスクランプ１０の位置調節が可能である。
【００４３】
最後に、ハーネスクランプ１０を固定相手部９０に対して固定する（図４参照）。この際、ハーネスクランプ１０をワイヤーハーネス１に対して延在方向に移動させて、固定相手部９０の固定用孔部９２に対向する位置に位置調節する（図５参照）。ここで、ワイヤーハーネス１のうちの他の部位がハーネスクランプ１０とは別のクランプ部材８０によって固定される場合、別のクランプ部材８０を対応する固定相手部に対して固定してから、ハーネスクランプ１０を固定相手部９０に固定するとよい（図６参照）。すなわち、ワイヤーハーネス１のうちの既に固定された部位を基準として、ハーネスクランプ１０を位置調節して固定する。
【００４４】
そして、挿入部２２を固定用孔部９２に挿入する。これにより、ハーネスクランプ１０が固定相手部９０に対して予備的に位置決めされる。
【００４５】
次に、ベルト部５０を装着方向Ｓ前方に移動させて係止部６２を固定用孔部９２の開口縁部に対して装着方向Ｓ前方から係止させる。より具体的には、一対の直線部５４を固定用孔部９２に挿通させる。この際、係止部６２の先端側の傾斜面が固定用孔部９２の内周面に当接し、ベルト部５０は一対の直線部５４が互いに近接する向きに弾性変形する。そして、係止部６２が固定用孔部９２を越えたところで、ベルト部５０が弾性復帰する力により、各係止部６２が固定用孔部９２の外周側に移動し、その係止面が固定用孔部９２の開口縁部に対して装着方向Ｓ前方から対向する。
【００４６】
これと共に、押え部３２が、固定用孔部９２の開口縁部に対して装着方向Ｓ後方から押し付けられる。これにより、押え部３２の外周部分３６が、装着方向Ｓ後方に弾性変形され、固定用孔部９２の開口縁部を装着方向Ｓ前方に付勢した状態になる。この状態で、押え部３２の装着方向Ｓ後端面の一部（ベルト挿通孔部３８の側部）は、ベルト部５０の巻掛部５２に当接した状態となり、巻掛部５２に対して装着方向Ｓ後方へ移動規制される。
【００４７】
これにより、係止部６２と押え部３２とで固定用孔部９２の開口縁部を挟んだ状態となり、ハーネスクランプ１０は、固定相手部９０に対して固定用孔部９２の貫通方向において位置決めされる。
【００４８】
また、固定用孔部９２の内側には、直線部５４のうちの係止部６２より装着方向Ｓ後方側の部位が配設される。ここで、直線部５４は、ベルト部５０が弾性復帰しようとする力により、固定用孔部９２の内周面に押し付けられた状態となっている。これにより、ハーネスクランプ１０は、固定相手部９０に対して固定用孔部９２の貫通方向に直交する方向において位置決めされる。
【００４９】
また、ベルト部５０は、一対の直線部５４が固定用孔部９２内に配設されて、弾性変形前の状態より近接した状態に維持されることにより、巻掛部５２が縮径され、ワイヤーハーネス１を本体部２０に対して位置決めした係止形態となる。ここで、ワイヤーハーネス１が位置決めされた状態とは、巻掛部５２がワイヤーハーネス１を締め付けた状態に限らず、がたつきを抑制して保持できる状態であればよい。つまり、ワイヤーハーネス１に対して延在方向にずれることが可能な状態も、ワイヤーハーネス１が位置決めされた状態に含まれるものとする。
【００５０】
上記のように、個々のハーネスクランプ１０が、固定相手部９０に対して固定された状態でワイヤーハーネス１に対して延在方向にずれ得る場合でも、ワイヤーハーネス１のうちの交差する方向に沿った各部位を各ハーネスクランプ１０によって固定することにより、ワイヤーハーネス１の位置ずれは抑制される（図７参照）。特に、配索形態に経路維持されたワイヤーハーネス１であれば、その効果は顕著である。
【００５１】
以上のようにして、ハーネスクランプ１０により、ワイヤーハーネス１を所定の固定相手部９０に対して固定することができる。
【００５２】
上記実施形態に係るハーネスクランプ１０によると、ベルト部５０をワイヤーハーネス１に巻き掛けると共にベルト挿通孔部３８に挿通した状態のうち、係止部６２が固定用孔部９２の開口縁部に係止していない非係止状態では、ワイヤーハーネス１に対して延在方向に移動可能である。また、非係止状態から、係止部６２が固定用孔部９２の開口縁部に係止した係止状態に縮径変形することにより、ワイヤーハーネス１を位置決めして固定相手部９０に対して固定することができる。これにより、ワイヤーハーネス１に対して取り付けられた状態で延在方向の位置調節を可能にすると共に、固定相手部９０に対して固定された状態でワイヤーハーネス１を位置決めすることができる。
【００５３】
また、ベルト部５０が、両端部にそれぞれ係止部６２を有し、挿入部２２及び押え部３２とは別体に形成されている構成によると、構造が簡単であり、成型用金型を簡単な構造にすることができる。そして、本体部２０を汎用品として、固定対象となるワイヤーハーネス１のサイズに応じてベルト部５０を用意することにより、複数サイズのワイヤーハーネス１に容易に適用することができる。
【００５４】
また、ベルト部５０が、ワイヤーハーネス１に巻き掛けられる巻掛部５２と、巻掛部５２の両端部から並列状に間隔をあけて延出する一対の直線部５４とを有する形状に形成されている。そして、巻掛部５２が、ワイヤーハーネス１の外部形状に沿った形状に形成されている。この構成によると、ワイヤーハーネス１の位置決め精度を向上させることが可能であると共に、ベルト部５０をワイヤーハーネス１に巻き掛ける作業の作業性を向上させることができる。
【００５５】
また、一対の直線部５４の外面同士の間隔が、固定用孔部９２の開口縁部のうちの対向部分の間隔より大きく設定されているため、係止部６２を固定用孔部９２の開口縁部に対してより確実に係止させることができる。
【００５６】
また、本体部２０が、押え部３２から装着方向Ｓ前方に突出して固定用孔部９２に挿入される挿入部２２を有している構成によると、ベルト部５０が非係止形態にある状態で挿入部２２が固定用孔部９２に挿入されることにより、固定相手部９０に対する予備的な位置決めをすることができる。
【００５７】
もっとも、ハーネスクランプ１０は、上記構成に限られるものではない。
【００５８】
挿入部２２にベルト部５０の係止部６２とは別の第２の係止部が設けられてもよい。例えば、第２の係止部は、挿入部２２の先端部から外周側（押え部３２の短軸方向外周側）且つ装着方向Ｓ後方に向けて張り出す形状に形成され、装着方向Ｓ後端部に係止面を有する形状に形成されるとよい。これにより、ハーネスクランプの固定性能を向上させることができる。
【００５９】
また、ベルト部５０は、ワイヤーハーネス１の外部形状に沿った巻掛部５２を有する形状に限らず、ワイヤーハーネス１の外部形状に沿った形状に変形可能であればよい。例えば、ベルト部５０は、直線状に形成され、その両端部に係止部６２を有する構成であってもよい。もっとも、ワイヤーハーネス１に対する巻き掛け作業性及び係止部６２の係止性能の観点から言うと、巻掛部５２と一対の直線部５４とを有する形状であることが好ましい。
【００６０】
また、ハーネスクランプ１０について、本体部２０とベルト部５０とが別体である例で説明してきたが、本体部２０とベルト部５０とは一体に形成されていてもよい。ベルト部は、少なくとも一方の端部が押え部３２に対して自由端とされ、自由端とされた少なくとも一方の端部に係止部６２を有していればよい。すなわち、ベルト部の他方の端部は、押え部の装着方向Ｓ後端部に連結されている。また、この場合、押え部は、ベルト部の自由端とされた少なくとも一方の端部を挿通可能なベルト挿通孔部を少なくとも１つ有していればよい。
【００６１】
また、本体部２０が挿入部２２を有している例で説明してきたが、挿入部２２が省略されてもよい。すなわち、挿入部２２は、固定相手部９０に対する予備的な位置決めを行うための部分であり、省略されても一対の係止部６２が固定用孔部９２の開口縁部に係止することにより、ハーネスクランプ１０の位置決めは成される。
【００６２】
以上のように、ハーネスクランプ１０は詳細に説明されたが、上記した説明は、全ての局面において例示であって、この発明がそれに限定されるものではない。また、上述した各種変形例は、相互に矛盾しない限り組み合わせて適用可能である。そして、例示されていない無数の変形例が、この発明の範囲から外れることなく想定され得るものと解される。
【符号の説明】
【００６３】
１  ワイヤーハーネス
１０  ハーネスクランプ
２２  挿入部
３２  押え部
３８  ベルト挿通孔部
５０  ベルト部
５２  巻掛部
５４  直線部
６２  係止部
９０  固定相手部
９２  固定用孔部
Ｓ  装着方向
【図１】
0005870702.tif 000002
【図２】
0005870702.tif 000003
【図３】
0005870702.tif 000004
【図４】
0005870702.tif 000005
【図５】
0005870702.tif 000006
【図６】
0005870702.tif 000007
【図７】
0005870702.tif 000008